(57)【要約】【課題】  蓄尿袋の内部の尿の色や、記載された患者名等の個人情報が容易に視認されづらく患者のプライバシーを保護できる蓄尿袋を提供する。【解決手段】  蓄尿袋１は、上部に開口部２があり、無色透明の袋のおもて面に茶色に印刷された有色部分３と、患者名等を記入するための記入欄４と、尿の概略容量を確認するための計量目盛り５が印刷されている。また、おもて面には尿の色を確認するための縦長の性状確認窓６が設けられている。うら面は一面茶色に有色印刷されている。【選択図】 図１
0003166265.tif 000002
【実用新案登録請求の範囲】
【請求項１】
合成樹脂シートからなる一辺に開口部を有する袋状の蓄尿袋であって、前記蓄尿袋の表面には有色印刷が施されており、前記有色印刷部分の所定位置に記入欄と計量目盛りを印刷し、さらに、前記有色印刷部分の一部に無色透明で内部を確認するための性状確認窓を設けたことを特徴とした蓄尿袋。
【請求項２】
請求項１に記載の蓄尿袋において、前記開口部内面に密閉用ファスナーが設けられていることを特徴とした蓄尿袋。
【請求項３】
請求項１又は２に記載の蓄尿袋において、当該蓄尿袋上部近傍に取手部が設けられていることを特徴とした蓄尿袋。
【考案の詳細な説明】
【技術分野】
【０００１】
本考案は患者から排出される尿を蓄尿するための蓄尿袋に関するものである。
【背景技術】
【０００２】
従来から、病院施設等においては、患者の病状を知るため、患者から排泄される尿の量と比重等が測定されているが、多くは、患者から排出される尿を２４時間分蓄尿しておき、その尿量と、尿中物質の濃度を測定し、さらに、検査対象（目的）とされる尿中物質の一日の総排出量を専用の尿検査装置を用いて行われている。また、同時に尿の色観察によって性状を確認することも行われている。
【０００３】
尿を貯留するための容器は、プラスチック製の採尿カップや箱形状の収尿器を用いる事がある。
例えば、特許文献１のように、上面、下面および側面で構成された容器本体、上面に設けられた通気フィルターおよび導入口、導入口に設けられた逆止弁、導入口に接続される導入チューブ、下面に設けられた排出口、および排出口に接続される排出チューブを備えてなる収尿器であって、容器本体の上面および下面は、容器本体内部に尿が収容されたときにかかる荷重により変形しない剛性を有する板状部材により構成され、容器本体の側面が柔軟なシートで構成された箱形状の収尿器が開示されている。
【０００４】
特許文献１の収尿器は、上面および下面を、容器本体内部に尿が収容されたときにかかる荷重により変形しない剛性を有する板状部材により構成したことにより、低床ベッド用に横長形状としても変形せず、床面上に戴置した状態で安定するという硬質箱状容器の利点がある。
また、側面を柔軟なシートで構成したことにより、使用前の状態では側面が折り畳まれるため保管に大きなスペースを必要とせず、また容器本体内部に尿が収容されるにつれて側面が伸びて箱状になるため、使用開始直後の導入口と液面との距離が短く、尿の落下音が大きくなることもない。
【０００５】
また、特許文献２のように、密封バッグ形状の袋の上部に導尿カテーテルに連結されるためのドリップチャンバーと、下端部に尿を導き出すための導尿管が設けられた蓄尿袋（採尿バッグ）が開示されている。容器本体の容量は通常２０００〜２５００ｍｌ程度の尿を蓄尿できるようなサイズとなっている。患者から排出される尿は導入チューブを通り、ドリップチャンバーを通過して袋内に流入する。蓄尿袋内部に貯留された尿は、袋下端部に設けられた導尿管を通過し、導尿管に接続された排出チューブを介して排出される。
蓄尿袋は色観察をするために透明の合成樹脂シートを加工して袋状としている。また、概略蓄尿量を知るために目盛りが印刷されている。
【０００６】
蓄尿した容器は検査のために一箇所に回収されるが、特許文献２のような柔軟な袋形状の蓄尿袋の場合は専用のラックに複数吊下げられることが多い。また、蓄尿袋には識別用に患者名等の個人情報が記載されていることが殆どである。使用後は、この蓄尿袋は廃棄処分される。
【先行技術文献】
【特許文献】
【０００７】
【特許文献１】特開２００８−９３１２９号公報
【特許文献２】特開平９−１６８５５６号公報
【考案の概要】
【考案が解決しようとする課題】
【０００８】
ところが、特許文献１及び特許文献２のような蓄尿容器の場合、透明な容器に患者名等の個人情報が記載されていると、病室等での回収の際、人目にさらされる可能性があり、また尿の色から病名を推測される場合もあり、プライバシー保護の観点からは患者への配慮がなされていない問題があった。
【０００９】
本考案は上記を鑑みてなされたものであって、蓄尿袋の内部の尿の色や、記載された患者名等の個人情報が容易に視認されづらく患者のプライバシーを保護できる蓄尿袋を提供することにある。
【課題を解決するための手段】
【００１０】
本考案は、上記課題を達成したものであり、請求項１の考案は、合成樹脂シートからなり一辺に開口部を有する袋状の蓄尿袋であって、前記蓄尿袋の表面には有色印刷が施されており、さらに前記有色印刷部分の所定位置に記入欄と計量目盛りを印刷し、さらに、前記有色印刷部分の一部に無色透明で内部を確認するための性状確認窓を設けたことを特徴としている。
【００１１】
また、請求項２の考案は、請求項１に記載の蓄尿袋において、前記開口部内面に密閉用ファスナーが設けられていることを特徴としている。
【００１２】
また、請求項３の考案は、請求項１又は２に記載の蓄尿袋において、当該蓄尿袋上部近傍に取手部が設けられていることを特徴としている。
【考案の効果】
【００１３】
請求項１の考案では、本考案の蓄尿袋は、袋体の全面もしくは一部が有色印刷されており、採集された尿の色が容易に識別されないため、患者のベッドサイドに設置していても尿の色から病名を推測される可能性が低くなる利点がある。
【００１４】
また、蓄尿袋の表面に計量目盛りが印刷されているので、概略尿量を確認することができ、患者の異変等を察知することもできる。
【００１５】
また、袋体の有色部分に患者名等の個人情報を記入するための記入欄等を設けると、容易に個人情報を識別されることが少なくなるので、患者のプライバシーを保護することができる。
【００１６】
さらに、蓄尿袋の一部に無色透明の性状確認窓を設けると、その部分で尿の色観察をすれば性状を確認できる。袋の一部分だけで尿の色を確認するので、安易に視認される可能性が低くなり患者のプライバシーを保護することができる。
【００１７】
また、請求項２の考案では、蓄尿袋に密閉用ファスナーが設けられているので、蓄尿袋運搬中に内部の尿が飛び散るおそれが無くなり清潔に保てる利点がある。特に、自宅療養している患者が尿の検査のために蓄尿袋を運搬する際には清潔・防臭効果も期待できる。
【００１８】
また、請求項３の考案では、蓄尿袋上部近傍に取手部が設けられているので、運搬作業等を簡便に行うことができる。さらに、取手部を利用して蓄尿袋をラックなどに掛け止めることもできる。
【図面の簡単な説明】
【００１９】
【図１】本考案の蓄尿袋の第１の実施形態を示す図である。（ａ）はおもて面、（ｂ）はうら面を示している。
【図２】本考案の蓄尿袋の第２の実施形態を示す図である。（ａ）はおもて面、（ｂ）はうら面を示している。
【考案を実施するための形態】
【００２０】
以下、本考案に係る蓄尿袋の第１の実施形態を図１を参照して説明する。蓄尿袋１は、上部に開口部２があり、無色透明の袋体のおもて面に茶色に印刷された有色部分３と、患者名等を記入するための記入欄４と、尿の概略容量を確認するための計量目盛り５が印刷されている。また、おもて面には尿の色を確認するための性状確認窓６が図１破線内部分に設けられている。うら面は全面茶色に有色印刷されている。
【００２１】
蓄尿袋１は１枚のシートを折り畳んで１辺を開口部２とし、他の２辺を接合部７で接合して袋体に加工したり、２枚のシートを重ね合わせて３辺を接合し袋体を製作しても良い。蓄尿袋１のサイズは標準的な１日の尿量２０００〜２５００ｍｌ程度の尿を蓄尿できるものとなっているが、これに限らず、単位時間当たりの尿量や１回分の尿を蓄尿できるサイズの蓄尿袋でもよい。また、蓄尿袋１の下部に内側に折り込み可能なマチ部を備え、蓄尿されると自立可能となる形状にしても良い。
【００２２】
蓄尿袋１のシートの材料は、ポリエチレンやポリ塩化ビニルなどの合成樹脂でできており、シート自体に消臭効果を持たせた樹脂を使用しても良い。シートの接合には熱溶着や、超音波溶着、高周波溶着等で接合される。
【００２３】
シートの色は尿の色が容易に識別できないような色が良く、好ましくは茶色で印刷すると良いがこれに限らない。これにより尿の色が識別しづらくなるので患者のプライバシーを保護できる。
【００２４】
また、着色印刷する際に、おもて面に患者名等記入欄４と、計量目盛り５を設けている。記入欄４内も有色印刷されることにより、例えば茶色地に黒色ペンで患者名を記入すると、無色透明のシート地に記入するときよりも安易に視認される可能性が低くなる利点がある。
【００２５】
さらに、袋の一部を着色印刷せずに無色透明として性状確認窓６を設けると、検査の際に尿の色を観察して性状確認がし易く便利である。袋の一部分だけで尿の色を確認するので、安易に視認される可能性が低くなり尿の色から病名を推測されることがなくなるので患者のプライバシーを保護することができる。
【００２６】
次に第２の実施例を図２を参照して説明する。なお、第１の実施の形態で説明した部材と同一あるいは相当するものには同一符号を付している。蓄尿袋１は、上部に開口部２と、その開口部２を開閉するための密閉用ファスナー８と、運搬のための取手部９が設けられている。無色透明の袋のおもて面には茶色に印刷された有色部分と、患者名等を記入するための記入欄４と、尿の概略容量を確認するための計量目盛り５が印刷されている。うら面は茶色に有色印刷されており、一部に印刷していない無色透明の性状確認窓６が設けられており尿の色を確認することができる。
【００２７】
蓄尿袋１の開口部２に密閉用ファスナー８を設けると、運搬時等尿が漏れることが無くなるので非常に衛生的である。密閉用ファスナー８は止水効果のあるものであればどのような構造のものでも良いが、運搬中に不意に開栓することのないような構造のものが良い。通常、蓄尿袋１は病院内で使用されることが多い。しかし、場合によっては自宅療養をする患者が、検査のために尿の入った状態で蓄尿袋を運搬することもあるため、漏れ防止や臭い防止のためにも密閉用ファスナー８を設けると衛生的である。
さらに、図２のように蓄尿袋１の上部近傍に取手部９を設ければ、運搬が便利となる。
【００２８】
なお、性状確認窓６の形状は図１の第１の実施例のように、性状確認だけでなく蓄尿された概略容量の確認もし易いように縦長窓でも良いし、図２の第２の実施例のように性状確認専用の円形窓でも良い。また、図２のように性状確認窓６をうら面に設けても良い。うら面に性状確認窓６を設ければ、記入された患者名と尿の色をひと目では視認することが困難となるためプライバシーの保護に有効である。
【００２９】
蓄尿袋１は、病院内での回収の際には専用の移動式ラックに掛け止めて運搬することが多く、その場合は、図２の取手部９を利用して掛け止めてもいいし、図示しない専用フックを設けても良い。
【産業上の利用可能性】
【００３０】
本考案の実施の形態では、蓄尿袋を有色にして患者のプライバシーを保護しているが、蓄尿袋に限らず、その他尿を蓄尿するための容器の色を有色にして患者のプライバシーを保護することもできる。
【符号の説明】
【００３１】
１    蓄尿袋
２    開口部
３    有色部分
４    記入欄
５    計量目盛り
６    性状確認窓
７    接合部
８    密閉用ファスナー
９    取手部
【図１】
0003166265.tif 000003
【図２】
0003166265.tif 000004